(57)【要約】【課題】  着用者の鼻及び口を含む顔面下部を覆う本体部と、前記本体部に結合され、前記本体部を着用者の顔面下部に固定する耳掛けからなるマスクは頻繁に変える必要があり、例えば端部に粘着貼り付け部を有するマスクであってもマスクだけでなく、マスクと一体となっているシリコン樹脂等からなる粘着材も再利用不可能であり、気楽に使える様なものではなかった問題点を解決するものが求められていた。【解決手段】  マスクの上端部を挟持する切込みが設けられている線状のシリコーン樹脂からなるマスク支持部材と、シリコーン樹脂からなる耳掛け部よりなることを特徴とするマスクずれ落ち防止器具を提供する。【選択図】  図１
2017020136.tif 000002
【特許請求の範囲】
【請求項１】
マスクの上端部を挟持する切込みが設けられている線状のシリコーン樹脂からなるマスク支持部材と、シリコーン樹脂からなる耳掛け部よりなることを特徴とするマスクずれ落ち防止器具。
【請求項２】
前記耳掛け部にもマスクの耳掛け紐を挟持する切込みが設けられていることを特徴とする請求項１記載のマスクずれ落ち防止器具。
【請求項３】
前記を挟持する切込みが、鋸歯状断面を持つことを特徴とする請求項１または２記載のマスクずれ落ち防止器具。
【発明の詳細な説明】
【技術分野】
【０００１】
本発明は、着用者の鼻及び口を含む顔面下部を覆う本体部と、前記本体部に結合され、前記本体部を着用者の顔面下部に固定する耳掛けからなるマスクのずれ落ちを防止するためのマスクずれ落ち防止器具に関する。
【背景技術】
【０００２】
従来より、マスクの固定方法はいろいろ考えられていた。すなわち、マスクのひもを頭の後ろで結束する器具（特許文献１参照）とか、端部に粘着貼り付け部を有するマスク（特許文献２参照）が知られている。
【０００３】
また、メガネの曇りを防止するためにシリコン樹脂等からなる粘着材をマスクの上部に設けるのも知られている（特許文献３参照）
【先行技術文献】
【特許文献】
【０００４】
【特許文献１】実用新案登録第３１７２７８２号公報
【特許文献２】特開２００５−２１８８０５号公報
【特許文献３】特開２００６−２８８６５０号公報
【発明の概要】
【発明が解決しようとする課題】
【０００５】
しかしながら、このようなマスクは頻繁に変える必要があり、例えば特許文献２のような端部に粘着貼り付け部を有するマスクであってもマスクだけでなく、マスクと一体となっているシリコン樹脂等からなる粘着材も再利用不可能であり、気楽に使える様なものではなかった。
【課題を解決するための手段】
【０００６】
上記課題を解決するための手段として、請求項１記載の発明は、マスクの上端部を挟持する切込みが設けられている線状のシリコーン樹脂からなるマスク支持部材と、シリコーン樹脂からなる耳掛け部よりなることを特徴とするマスクずれ落ち防止器具を提供するものである。
【０００７】
請求項２記載の発明は、前記耳掛け部にもマスクの耳掛け紐を挟持する切込みが設けられていることを特徴とする請求項１記載のマスクずれ落ち防止器具を提供するものである。
【０００８】
請求項３記載の発明は、前記を挟持する切込みが、鋸歯状断面を持つことを特徴とする請求項１または２記載のマスクずれ落ち防止器具を提供するものである。
【発明の効果】
【０００９】
本発明では、安価な市販品のマスクをそのまま使用して、しかも、装着時の位置保持性、すなわち、ずれ落ちにくく、のみならず、生体適合性、つまりアレルギー反応などがおきにくいマスクずれ落ち防止器具を提供することができる。
【図面の簡単な説明】
【００１０】
【図１】本発明のマスクずれ落ち防止器具を示す概略斜視図である。
【図２】図１の本発明のマスクずれ落ち防止器具のマスク支持部材の概略断面図である。
【図３】図１のマスクずれ落ち防止器具をマスクに備えさせた状態を示す概略斜視図である。
【図４】図１のマスクずれ落ち防止器具を備えたマスクを装着した状態のマスクずれ落ち防止器具装着マスク利用者を示す概略斜視図である。本発明の実施形態に係る多層シートの構成を示す概略斜視図である。
【図５】従来のマスクを示す概略斜視図である。
【図６】従来のマスクを装着した状態のマスク利用者を示す概略斜視図である。
【発明を実施するための形態】
【００１１】
以下、本発明のマスクずれ落ち防止器具は、マスク支持部材とその両端で連結している耳掛け部とよりなっている。
【００１２】
マスク支持部材は、市販のマスク本体の上端部をなぞる形状になっていて、直線状であってもよいが、鼻等との密着性をあげるために顔面形状に合わせて凹凸や湾曲が形成されている形状でもかまわない。
【００１３】
また、厳密に線状である必要もなく、棒状の他、鼻宛の様な出っ張り部分を伴っても構わない。
【００１４】
また、その断面は円形、楕円形、四角形など多くの形を選択できるが、肌への当たりによる問題点を生じにくくする様に角の立たない円形や楕円形状が特に好ましい。
【００１５】
また、その厚みは、円形の場合であれば少なくとも市販のマスクの上端部の厚さより若干大きい直径が好ましいが、馴染み具合や断面形状により大小を問うものではない。
【００１６】
そして、下部には挟持部が設けてある。この役目は、マスクを仮固定することにあり、使用前には挟み易く、使用時にマスクが脱落しにくく、使用後には外すことができるので、市販のマスクより若干狭く出来ているのが好ましい。
【００１７】
とくに、この様にマスクを仮固定するにあたり、使用前には挟み易く、使用時にマスクが脱落しにくく、使用後には外すことができる様にするため、鋸歯状にするのが好ましく、一段でも良いが、二段や三段、四段でも構わない。
【００１８】
また、鋸歯状にするのに変わって凹凸を付けたり粗面化する方法や、その両方を採用するのも可能である。
【００１９】
耳掛け部も、同様に耳掛け紐に固定出来るように挟持部を設けるのが好ましい。この様に仮固定することにより、使用前には挟み易く、使用時にマスクが脱落しにくく、使用後には外すことができる様にするため、鋸歯状にするのが好ましく、一段でも良いが、二段や三段、四段でも構わない。
【００２０】
マスク支持部材と耳掛け部は、直角等の角度で固定的に繋がっていてもよいが、回動できる構造になっていても構わない。
【００２１】
また、耳掛け部の長さは、耳の後方までがこのましく、就寝時に外れないのが好ましいが、耳掛け紐を仮固定できる場合は、そこまでなくても構わない。
【００２２】
もちろん、対応できる耳掛け紐がゴムであっても対応可能なことは当然である。
【００２３】
また、このシリコーン樹脂は、分子末端、または側鎖にアクリロイル基、メタクリロイル基、ビニル基、ビニルアミド基、ヒドロシリル基、シラノール基、ジアゾ基、アセチレン基、チオール基の中から選択される官能基を有するシリコーン樹脂（主にジアルキルポリシロキサン）である。ジアルキルポリシロキサンを硬化させる際には、反応形態によって、さらにメチルハイドロジェンポリシロキサン、あるいはメチルメトキシポリシロキサンなどのシリコーン樹脂を加えて使用する場合もある。これらシリコーン樹脂組成物の形態としては、溶剤に希釈してある溶剤型、乳化剤を用いて水中に分散乳化したエマルジョン型、溶剤を全く使用しない無用剤型などがあるが、本発明においては特に制限されるものではない。シリコーン樹脂の硬化機構は、加熱による重合反応であり、縮合型、付加型、架橋型、開環重合型反応などが可能である。また、分子末端または側鎖にラジカル重合硬化性の官能基を有する場合には、放射線によっても硬化が可能である。
【００２４】
この場合、生体適合性の低い材料を敬遠するのが好ましく、これによりアレルギー反応を最小限に抑えられる。
【００２５】
これらシリコーン樹脂は、単独もしくは２つ以上を混合して使用することができる。また、シリコーン樹脂以外の組成物を混合して使用してもよい。
【００２６】
なお、製造方法は、液状シリコーン組成物を型に流し込んで成型する方法の他、発泡させてから型に流し込む方法、もしくはある程度成型してから切削などにより成型する方法など、何れを用いても構わない。
【００２７】
この場合用いられるマスクは衛生マスクと呼ばれるもので、ガーゼや不織布等やスポンジでマスク本体が製造され、耳掛け紐は同じくガーゼや不織布で製造されるものの他、ゴム紐などによりなるものや、そのゴム紐の表面をガーゼや不織布で覆ったものなどが使用される。
【実施例】
【００２８】
図１から図６を用いて本願の実施例を示す。
【００２９】
図１はマスクずれ落ち防止器具の斜視図であり、マスク支持部材１１とその両端でほぼ直角に繋がっている耳掛け部１２とによりなっており、その耳掛け部１２の耳に当たる部分が下方に湾曲して耳の外形に沿うようになっている。
【００３０】
また、マスク支持部材１１は、ほぼ直線の円筒からなる線状になっているが、中央部分の鼻にあたる部分で鈍角に屈折している。また、この屈折している部分では、鼻の保護のために若干上方に凸形状が設けられている。
【００３１】
この場合のマスク支持部材１１は、図２に示す様な断面図になっており、本体２１が円形になっており、その下部に鋸歯状の切込み２２が存在する。
【００３２】
なお、このマスクずれ落ち防止器具は、マスク支持部材１１とその両端でほぼ直角に繋がっている耳掛け部１２両部材を一体として液状シリコーン樹脂組成物（スリーボンド社製のＴＢ１２１５）を型に流し込み、、３０分以上常温で放置して硬化させることにより形成する。
【００３３】
このマスクずれ落ち防止器具を実際に使用する場合は、マスク３２の上部をマスク支持部材１１の下部に設けられた切込み２２に押入れ、マスク支持部材１１の弾性により固定する。また、マスク３２のゴムからなる耳掛け紐は、耳掛け部１２の下部の切込み２２に押し入れ、その鋸歯形状により固定される。
【００３４】
その結果、図３のようなマスクずれ落ち防止器具をマスクに備えさせた状態となるが、これはあたかもマスクの上部のみがシリコーン樹脂を付加する加工をしている様な形状となる。
【００３５】
この状態で図４の様にマスクずれ落ち防止器具装着マスク利用者４１がマスクずれ落ち防止器具装着マスク４２の両側の耳掛け紐をマスクずれ落ち防止器具装着マスク利用者４１の両耳に掛けることにより装着する。この状態では、マスクずれ落ち防止器具装着マスク利用者４１の顔面全面で、その鼻が掛かる状態でマスクずれ落ち防止器具のシリコーン樹脂が接触し、固定される。
【００３６】
この状態で睡眠したところ、マスクずれ落ち防止器具が顔表面に当たって、ずれ落ちることはなく、そのままマスク装着の効果が継続した。
【００３７】
対して、図５にあるマスク本体５１の両側に耳掛け紐５２が付いているマスクを装着して睡眠したところ、いつの間にか図６のようにずれ落ち、マスク装着の効果が発揮されなかった。
【符号の説明】
【００３８】
１１・・・マスク支持部材
１２・・・耳掛け部
２１・・・本体
２２・・・切込み
３１・・・マスクずれ落ち防止器具
３２・・・マスク
４１・・・マスクずれ落ち防止器具装着マスク
４２・・・マスクずれ落ち防止器具装着マスク利用者
５１・・・マスク本体
５２・・・耳掛け紐
６１・・・マスク
６２・・・旧来のマスク利用者
【図１】
2017020136.tif 000003
【図２】
2017020136.tif 000004
【図３】
2017020136.tif 000005
【図５】
2017020136.tif 000006
【図４】
2017020136.tif 000007
【図６】
2017020136.tif 000008